(57)【特許請求の範囲】
【請求項１】
通気孔付きパネルと、前記パネル面の後ろに設けてある注入ポートと、前記パネル面の側部に設けてある排出ポートとを有し、且つ空気の注入／排出を必要とする物品に前記パネル面を前面として取付けられるように構成されている中空筐体を備え、
前記中空筐体内に、更に、
空気入り口と空気出口とを有し、且つ前記パネル面で起動するように配置構成されているファンユニットと、
第１コネクタと第２コネクタとを有し、且つ、作動されて、前記第１コネクタを前記排出ポートと前記空気入り口とを連通させると同時に前記空気出口を開放させ、前記物品内の空気を前記パネル面の通気孔を経由して大気へ排出しうる第１パスを形成する排気モードと、前記第２コネクタを前記注入ポートと前記空気出口とを連通させると同時に前記空気入り口を開放させ、大気から前記パネル面の通気孔を経由して前記物品内へ空気を注入しうる第２パスを形成する注入モードとの少なくとも２モードが選択的に行われうるように構成されている操作機構とを備え、
前記ファンユニットの駆動と前記操作機構によるモード選択とを左右転操作により行う操作ノブを前記パネル面上に設置し、
前記注入ポートは前記中空筐体の後面に設けられ、前記排出ポートは前記中空筐体の側面に設けられ、前記操作機構は前記操作ノブの左右転操作の選択によって前後方向の一方に移動することができるように構成され、
前記排出ポートと前記空気入り口とは、前記操作機構の移動方向を横断するように配列され、前記第１コネクタは、通常時、前記排出ポートと前記空気入り口との間の後方に位置し、前記操作機構が前方に移動すると、前記排出ポートと前記空気入り口との間に差し込まれて前記排出ポートと前記空気入り口とを連通させるように取付けられ、
前記第２コネクタは後方から前記空気出口と連通するとともに、前記操作機構が後方に移動すると、前記空気出口から後方へ延びて前記注入ポートとも連通するように取付けられ、
前記注入ポートと排出ポートとは、それぞれ前記操作機構の前後移動の一つにより開けられるように構成された常時閉の注入バルブと常時閉の排出バルブとを介在し、
前記第１コネクタは、その側面の中心近くに斜面を有する押しブロックを形成し、
前記排出バルブは、その弁体の中心近くから前記空気入り口へ延伸するとともに、その先端面が前記斜面状の押しブロックと対応し、且つ、前記第１コネクタが前記排出ポートと前記空気入り口との間に差し込まれると、前記押しブロックの斜面に押されて前記弁体を開ける操作棒を設置し、
前記第２コネクタは、その後面の中心近くに押し板を付設し、
前記注入バルブは、その弁体の中心近くから前記押し板の方へ延伸し、且つ、前記第２コネクタが前記注入ポートへ伸びると、前記押し板に押されて前記弁体を開ける操作棒を設置し、
前記操作ノブの後端部は、前記パネル面内に突入し、前記後端部の後面にラック歯付きカム面を形成し、
前記第１コネクタの前端面に前記カム面と対応するように接触しているラック歯付き追従面を形成し、
前記カム面と前記追従面とは、前記追従面が前記カム面の前記操作ノブによる回転によって前記操作機構を前後移動させることができる関係になっている
ことを特徴とする空気注入／排出装置。
【発明の詳細な説明】
【技術分野】
【０００１】
本発明は空気注入／排出装置に関し、特に簡単な操作で注入モードと排出モードとの間に切換えられる空気注入／排出装置に関する。
【背景技術】
【０００２】
従来から、空気注入／排出装置というものが広範に使用されている。でも、すべて機能が単純で、操作に便利でないので、それを備える商品自体または商品用途によっては、相応しくない場合がある。例えば、膨張式救命いかだ、高級エアベッドなどがそれである。
現在、エアベッドに使用されているものを例として言えば、図１５及び図１６に示すように、従来の空気注入／排出装置１２は、主として、エアベッド１１に開けてある通孔１１１に固定されるためのハウシング１３と、注排気以外の通常時にエアベッド１１ないしハウシング１３とまったく連結しないように独立に存在するファンユニット１４とからなっている。ハウシング１３内にエアベッド１１の内部空間と連通している注気用の注入ゲート１３２と排気用の排出ゲート１３３とが設置されている上、注入ゲート１３２におけるエアベッド１１内の側に注入バルブ１３４が取付けられており、排出ゲート１３３におけるエアベッド１１外の側にキャップ１３５が取付けられている。
【０００３】
ファンユニット１４はモーター（図示せず）とファン（図示せず）とを収容しているファンケーシング１４３を有しており、ファンケーシング１４３内に注入ゲート１３２と結合できる注入通路１４１及び排出ゲート１３３と結合できる排出通路１４２が形成されている。
空気をエアベッド１１内に注入しようとする場合、ファンユニット１４を注入通路１４１と注入ゲート１３２との結合によってハウシング１３内に設置してからファンユニット１４を起動することで、空気を注入ゲート１３２と注入バルブとを経由してエアベッド内に注入することができる。
【０００４】
空気をエアベッド１１内から排出させようとする場合、まずキャップ１３５を取り外し、そして、ファンユニット１４を排出通路１４２と排出ゲート１３３との結合によってハウシング１３内に設置してからファンユニット１４を起動することで、空気を排出ゲート１３３を経由してエアベッド外に排出させることができる。
このような空気注入／排出装置１２は、まず、ファンユニット１４が独立に存在していて、注排気の時、始めて探し出されてエアベッド１１に固定してあるハウシング１３と連続させられるので、使用上非常に不便である。もちろん、図示のように、ハウシング１３が通孔１１１に取り付けられたままその前面からファンユニット１４を受け入れて収容する大きな空間１３１を有しているこの従来例では、注排気の後、ファンユニット１４がハウシング１３内に残ったまま使用しても良い。しかし、ファンユニット１４とハウシング１３との結合方式が、注排気によって注入ゲート１３２と排出ゲート１３３とで違うところに行われなければならず、使用時に取り外したり取り付け直したりする必要がやはりあるので同じく不便であり、高級エアベッドには相応しくない使用方式である。
【発明の開示】
【発明が解決しようとする課題】
【０００５】
従って、本発明は上記の問題に鑑みてなされたものであり、そのハウシングとファンユニットとが一体的に構成されていて、使用時に取り付け直す必要のない空気注入／排出装置を提供することを目的とする。
また、その操作がパネル面で簡単に行われうる空気注入／排出装置を提供することをもう一つの目的とする。
【課題を解決するための手段】
【０００６】
前記目的を達成するために、本発明は、通気孔付きパネルと、前記パネル面の後ろに設けてある注入ポートと、前記パネル面の側部に設けてある排出ポートとを有し、且つ空気の注入／排出を必要とする物品に前記パネル面を前面として取付けられるように構成されている中空筐体を備え、前記中空筐体内に、更に、空気入り口と空気出口とを有し、且つ前記パネル面で起動するように配置構成されているファンユニットと、第１コネクタと第２コネクタとを有し、且つ、作動されて、前記第１コネクタを前記排出ポートと前記空気入り口とを連通させると同時に前記空気出口を開放させ、前記物品内の空気を前記パネル面の通気孔を経由して大気へ排出しうる第１パスを形成する排気モードと、前記第２コネクタを前記注入ポートと前記空気出口とを連通させると同時に前記空気入り口を開放させ、大気から前記パネル面の通気孔を経由して前記物品内へ空気を注入しうる第２パスを形成する注入モードとの少なくとも２モードが選択的に行われうるように構成されている操作機構とを備え、前記ファンユニットの駆動と前記操作機構によるモード選択とを左右転操作により行う操作ノブを前記パネル面上に設置し、前記注入ポートは前記中空筐体の後面に設けられ、前記排出ポートは前記中空筐体の側面に設けられ、前記操作機構は前記操作ノブの左右転操作の選択によって前後方向の一方に移動することができるように構成され、前記排出ポートと前記空気入り口とは、前記操作機構の移動方向を横断するように配列され、前記第１コネクタは、通常時、前記排出ポートと前記空気入り口との間の後方に位置し、前記操作機構が前方に移動すると、前記排出ポートと前記空気入り口との間に差し込まれて前記排出ポートと前記空気入り口とを連通させるように取付けられ、前記第２コネクタは後方から前記空気出口と連通するとともに、前記操作機構が後方に移動すると、前記空気出口から後方へ延びて前記注入ポートとも連通するように取付けられ、前記注入ポートと排出ポートとは、それぞれ前記操作機構の前後移動の一つにより開けられるように構成された常時閉の注入バルブと常時閉の排出バルブとを介在し、前記第１コネクタは、その側面の中心近くに斜面を有する押しブロックを形成し、前記排出バルブは、その弁体の中心近くから前記空気入り口へ延伸するとともに、その先端面が前記斜面状の押しブロックと対応し、且つ、前記第１コネクタが前記排出ポートと前記空気入り口との間に差し込まれると、前記押しブロックの斜面に押されて前記弁体を開ける操作棒を設置し、前記第２コネクタは、その後面の中心近くに押し板を付設し、前記注入バルブは、その弁体の中心近くから前記押し板の方へ延伸し、且つ、前記第２コネクタが前記注入ポートへ伸びると、前記押し板に押されて前記弁体を開ける操作棒を設置し、前記操作ノブの後端部は、前記パネル面内に突入し、前記後端部の後面にラック歯付きカム面を形成し、前記第１コネクタの前端面に前記カム面と対応するように接触しているラック歯付き追従面を形成し、前記カム面と前記追従面とは、前記追従面が前記カム面の前記操作ノブによる回転によって前記操作機構を前後移動させることができる関係になっていることを特徴とする空気注入／排出装置を提供する。
【発明の効果】
【０００７】
上記構成による本発明の空気注入／排出装置は、パネル面での操作だけで空気の注入と排出とを行うことができ、ファンユニットの取付けまたは取り外しという手間のかかる作業が一切要らないので、前記従来の空気注入／排出装置より遥かに便利である。
【発明を実施するための最良の形態】
【０００８】
図１は本発明の空気注入／排出装置の実施形態の外部構成を示す図面である。該実施形態の空気注入／排出装置２１はエアベッド２２の開口に取付けられてエアベッド２２の内部空間２２２に空気を注入しもしくは排出させるためのものであり、その筐体３には、エアベッド２２外に露出するパネル３１並びに内部空間２２２内に内蔵される注入ポート６及び排出ポート７が設けられている。注入ポート６はパネル（３１）面の後ろに、もっと詳しく言えば、筐体３の後面に設置されており、排出ポート７は筐体３全体の側面に設置されている。パネル（３１）面には、筐体３の内部空間と連通している通気孔３２１と、筐体内の操作機構と連結していて外からそれらを操作できる操作ノブ５１と、下記筐体３内におけるバッテリーケース３５の蓋（３３）付き開口３２３と、空気注入／排出装置２１の操作状態を示すランプ４４とが設置されている。
【０００９】
図２は本実施形態の空気注入／排出装置２１の構成を示す分解図である。以下、図２を参照しながら、空気注入／排出装置２１の筐体３内の構成を、ファンユニット部４０と、操作機構部５０と、注入バルブ部６０と、排出バルブ部７０とに分けて説明する。場合によっては、他の図面と併せて説明するときもある。
ファンユニット部４０は主にファンユニット３４と、バッテリー２３を収容するバッテリーケース３５と、駆動用のモーター４１と、モーターを起動するためのスイッチ４３を有している。ファンユニット３４は一対のファンケーシング３４０とファンケーシング３４０内に設置されているファン３４１とを備えている。一対のファンケーシング３４０は、それらが互いに結合する時、排出ポート７に向けて開口している空気入り口３４３と注入ポート６に向けて開口している空気出口３４４を構成できるように形成されている。また、空気入り口３４３は斜めに切られた円筒のように形成されている。ファン３４１は、駆動されるとき、空気が空気入り口３４３から空気出口３４４に流れるように一対のファンケーシング３４０内に配置構成されている。バッテリーケース３５は収容するバッテリー２３がパネル（３１）における蓋（３３）付き開口３２３から出し入れできるように配置されている。モーター４１はバッテリーケース３５に収容されているバッテリー２３と電気的に連結している上、ファンユニット３４内のファン３４１を駆動できるように配置構成されている。スイッチ４３はモーター４１と電気的に連結しており、押されるとモーター４１を起動させるように構成されている。
【００１０】
操作機構部５０は主にパネル面外に露出している操作ノブ５１の左右転に従って回転する連動部５２と、第１コネクタ５３と、第２コネクタ５５と、第１コネクタ５３及び第２コネクタ５５とを連結する延伸ユニット５４との順番の連結により構成されているものである。
連動部５２の構成は図３と併せて説明する。連動部５２に操作ノブ５１と連結する連結部５２１と、一対の押し部５２２と、円筒状の連動部スリーブ５２３と、連動部スリーブ５２３内に位置している環状ラック歯付きカム面５２４とが形成されている。連結部５２１によって、連動部５２は操作ノブ５１と共に回転することができるようになっている。一対の押し部５２２はスイッチ４３及び操作ノブ５１と対応して設置されており、操作ノブ５１が左回転か右回転かをすると、スイッチ４３を押すようになっている。連動部スリーブ５２３とカム面５２４とは第１コネクタ５３と対応して設けられたものなので、第１コネクタ５３の説明と共に説明する。
【００１１】
第１コネクタ５３の構成は図４と併せて説明する。第１コネクタ５３は円筒状の連通管５３３と、連通管５３３から連動部５２に延伸して連動部スリーブ５２３に挿入している円筒状の追従部５３１と、連通管５３３の追従部５３１の反対側から延伸ユニット５４に延伸している二本の接続棒５３４を備えている。連通管５３３は台形のように両端が斜めに形成されており、追従部５３１が形成されている側が短く、接続棒５３４が形成されている側が長くなっていて、これによって空気入り口３４３に向けている一端が空気入り口３４３の形状と対応し、空気入り口３４３と連結する時に一本の管状体になるように形成されている。また、連通管５３３の排出ポート７に向けている一端には、その中心近くにパネル面に向けている斜面を有する押しブロック５３０が形成されている。これによって、下記排出バルブ部７０の操作棒７３を押すことによりバルブを開放することができるようになっている。円筒状の追従部５３１は連動部スリーブ５２３に挿入しており、その先端にカム面５２４と対応して接触している環状のラック歯付き追従面５３５が形成されている。カム面５２４と追従面５３５との接触は、追従面５３５がカム面５２４の操作ノブ５１による回転によって第１コネクタ５３を前後移動させることができる関係になっている。二本の接続棒５３４は、延伸ユニット５４と接続しており、且つ延伸ユニット５４を第１コネクタ５３と共に前後移動させることができるように設けられている。また、下記の前方はパネル面へ接近する方向を指し、後方はパネル面から離れる方向を指す。
【００１２】
延伸ユニット５４及び第２コネクタ５５の構成は図５と併せて説明する。延伸ユニット５４は接続棒５３４と対応している一対の管状部５４２と、ファンユニット３４に向けて横へ延伸していて第２コネクタ５５と連結している略コ形の連動板５４１と、ばね止め５４４と、その両端がばね止め５４４及び筐体３に当接している操作機構用ばね５６とを備えている。一対の管状部５４２が第１コネクタ５３と連結し、また連動板５４１が第２コネクタ５５と連結していて、これらによって、第２コネクタ５５が第１コネクタ５３と共に前後移動することができる。定位部５４４は操作機構用ばね５６の一端と接続しており、また操作機構用ばね５６の他の一端は筐体３と当接している。操作機構用ばね５６の付勢力によって、カム面５２４と追従面５３５とが常時接触している状態を保つことができ、第１コネクタ５３と延伸ユニット５４と第２コネクタ５５とがカム面５２４と追従面５３５との対応関係によって前後移動できるようになっている。
【００１３】
第２コネクタ５５は略管状体であり、後方から空気出口５４４と連通している上、連動板５４１によって操作機構部５０が後方に移動すると、つまりパネル面３１から離れる方向に移動すると、空気出口５４４から後方へ延びて注入ポート６へ移動できるように取付けられている。また、図６に示すように、第２コネクタ５５の中心近くに押し板５５３が設置されている。これによって、下記注入バルブ部６０の操作棒６２１を押すことによりバルブを開放することができるようになっている。さらに、第２コネクタ５５の空気出口３４４の反対側に、空気漏れを防止するシールユニット５７が取付けられている。
【００１４】
注入バルブ部６０は注入ポート６に取付けられているものであり、円筒状のバルブ本体６１とバルブプレート６１４とを備えている。バルブ本体６１は大径部と小径部との２部分を有し、その小径部により筐体３の注入ポートに取付けられ、その大径部の側面に注入用の注入孔６１７が開いている。また、バルブ本体６１の大径部は注入バルブキャップ６１２により覆われ、バルブプレート６１４はバルブ本体６１内において注入バルブ部６０を封止状態にすることができるように取付けられている。その両端がそれぞれバルブプレート６１４と注入バルブキャップ６１２に当接している注入バルブ用ばね６１３は、その付勢力で注入バルブ部６０を常時閉にする。更に、バルブプレート６１４の中心近くに第２コネクタ５５及び空気出口３４４に向けて延伸している操作棒６２１が形成されている。操作棒６２１が第２コネクタ５５の押し板５５３の後方移動で押されると、注入バルブ用ばね６１３の付勢力に対抗して注入バルブ部６０を押し開けることができる。
【００１５】
排出ポート７に取付けられている排出バルブ部７０の構成は注入バルブ部６０と似ているが、円筒状のバルブ本体７２とバルブプレート７２４とを備えている以外、更に筐体３の排出ポート７に取付けられているスリーブ部７１を有している。スリーブ部７１の構成は図７に示すように、その両端にそれぞれ第１のコネクタ５３に向けて開口している第１のスリーブ７１１とバルブ本体７２と結合できる第２のスリーブ７１２が形成されている。また、第１のスリーブ７１１は、その形状が第１コネクタ５３の第１のスリーブ７１１に向けている一端の形状と対応していて、連結する時に一本の管状体になるように形成されている。また、スリーブ部７１に形成されている上下一対の誘導板７１４は、空気入り口３４３の側に形成されている上下一対の誘導板３４７と共に、第１コネクタ５３の前後移動がずれないように上下から第１コネクタ５３を挟んでいる。バルブ本体７２は大径部と小径部との２部分を有し、その小径部によりスリーブ部７１の第２のスリーブ７１２に取付けられ、その大径部の側面に排出用の排出孔７２７が開いている。また、バルブ本体７２の大径部は排出バルブキャップ７２２により覆われ、バルブプレート７２４はバルブ本体７２内において排出バルブ部７０を封止状態にすることができるように取付けられている。その両端がそれぞれバルブプレート７２４と排出バルブキャップ７２２に当接している排出バルブ用ばね７２３は、その付勢力で排出バルブ部７０を常時閉にする。更に、バルブプレート７２４の中心近くに第１コネクタ５３及び空気入り口５４３に向けて延伸している操作棒７３が形成されている。操作棒７３の先端が第１コネクタ５３の押しブロック板５３０の斜面と対応する斜面が形成されていて、押しブロック板５３０の前方移動で押されると、操作棒７３は横に移動して排出バルブ用ばね７２３の付勢力に対抗して排出バルブ部７０を押し開けることができる。
【００１６】
続いて、図８、図９、１０、１１、１２、１３、１４を用いて本実施形態の空気注入／排出装置２１の動作を説明する。図８は筐体３を省略して、空気注入／排出装置の内部構成だけを示す斜視図である。図９、図１１、図１３は空気注入／排出装置２１の横断面図であって、それぞれ通常状態、注入モード、そして排出モードでの内部構成の関係位置を示している。図１０、図１２、図１４はスイッチ４３と操作ノブ５１、連動部５２との関係を示す説明図であり、同じくそれぞれ通常状態、注入モード、そして排出モードでの構成の関係位置を示している。
【００１７】
図８において、操作ノブ５１が左転または右転すると、連動部５２は操作ノブ５１と共に同じ方向に回転する。このとき、連動部５２におけるカム面５２４と第１コネクタ５３における追従面５３５とは操作機構用ばね５６の付勢力によって常に接触している。また、第１コネクタ５３は延伸ユニット５４及び第２コネクタ５５と共に、操作ノブ５１の左転または右転に対応して、前方または後方へ移動することができるようになっている。
【００１８】
図９に示すように、通常状態、つまり空気注入／排出装置２１が起動していない状態では、第１コネクタ５３は空気入り口３４３と第１のスリーブ７１１の間のやや後方寄りの位置に配置されている。第１コネクタ５３における連通管５３３の両端は空気入り口３４３にも第１のスリーブ７１１にも接触していない。第２コネクタ５５は注入バルブ部６０のやや前方寄りの位置に配置されていて、互いに接触していない。また、この場合、連動部５２とスイッチ４３との関係は、図１０に示すように、スイッチ４３が押されていない状態になっており、ファンユニット３４は起動していない。
【００１９】
図１１と図１２に示すように、注入モード、つまり空気注入／排出装置２１が操作ノブ５１の回動によって起動して、エアベッド２２など空気注入／排出装置２１が取付けられているものに空気を注入するモードでは、連動部５２が操作ノブ５１と共に回転し、押し部５２２の一つがスイッチ４３を押して、モーター４１を起動しファンユニット３４におけるファン３４１を回転させて、空気を空気入り口３４３から空気出口３４４へ流れるようにする。これと同時に、操作機構５０における第１コネクタ５３と延伸ユニット５４と第２コネクタ５５は、連動部５２におけるカム面５２４と第１コネクタ５３における追従面５３５との接触及び連動部５２の回転に対応して、後方へ移動して、第２コネクタ５５が注入バルブ部６０と接触して死点まで到達する。これと同時に注入バルブ部６０における操作棒６１も第２コネクタ５５の押し板５５３に押されて、バルブプレート６１４が後方へ移動し、注入バルブ部６０が開放される。この場合、空気注入／排出装置２１外の大気と、通気孔３２１と、筐体３内の空間と、空気入り口３４３と、空気出口３４４と、第２コネクタ５５と、注入バルブ部６０と、エアベッド２２の内部空間２２２とが順序に連通するようになって第１パスとなる。これによって、大気中の空気はこの第１パスを経由してエアベッド２２の内部空間２２２に注入することができる。この時、第１コネクタ５３が通常状態より後方に位置しており、排出バルブ部７０も封止状態に維持しているので、第１パスとは無関係である。
【００２０】
図１３と図１４に示すように、排出モード、つまり空気注入／排出装置２１が操作ノブ５１の回動によって起動して、エアベッド２２など空気注入／排出装置２１が取付けられているものの内部にある空気を排出させるモードでは、連動部５２が操作ノブ５１と共に回転し、他の一つの押し部５２２がスイッチ４３を押して、モーター４１を起動してファンユニット３４におけるファン３４１を回転させて、空気を空気入り口３４３から空気出口３４４へ流れるようにする。これと同時に、操作機構５０における第１コネクタ５３と延伸ユニット５４と第２コネクタ５５とは、連動部５２におけるカム面５２４と第１コネクタ５３における追従面５３５との接触及び連動部５２の回転に対応して、前方へ移動して、第１コネクタ５３における連通管５３３の両端がそれぞれ空気入り口３４３及び第１のスリーブ７１１と接触して死点まで到達する。これによって、空気入り口３４３と連通管５３３と第１のスリーブ７１１とが互いに連通して一つの管状体のようなものとなり、同時に排出バルブ部７０における操作棒７３も第１コネクタ５３の押しブロック５３０に押されて、押しブロック５３０の斜面と操作棒７３先端の斜面との対応によって、バルブプレート７２４は操作棒７３と共に横へ移動し、排出バルブ部７０が開放されるようになる。この場合、エアベッド２２の内部空間２２２と、排出バルブ部７０と、第１コネクタ５３における連通管５３３と、空気入り口３４３と、空気出口３４４と、筐体３内の空間と、通気孔３２１と、空気注入／排出装置２１外の大気とが順序に連通するようになって第２パスとなる。これによって、エアベッド２２の内部空間２２２内の空気は、この第２パスを経由して大気へと排出されることができる。この時、第２コネクタ５５が通常状態より前方に位置しているので、注入バルブ部６０は封止状態に維持されていて第２パスと無関係である。
【産業上の利用可能性】
【００２１】
上記構成による本発明の空気注入／排出装置２１は、パネル面での操作だけで空気を注入する第１パスと空気を排出させる第２パスとを選択的に形成できるようになっており、ファンユニットの取付けまたは取り外しという手間のかかる作業が一切要らないので、前記従来の空気注入／排出装置より遥かに便利である。
【図面の簡単な説明】
【００２２】
【図１】本発明の空気注入／排出装置の実施形態の外部構成を示す斜視図。
【図２】本発明の空気注入／排出装置の実施形態の分解図。
【図３】本発明の空気注入／排出装置の実施形態にける連動部の構成を示す斜視図。
【図４】本発明の空気注入／排出装置の実施形態にける第１コネクタの構成を示す斜視図。
【図５】本発明の空気注入／排出装置の実施形態にける延伸ユニット及び第２コネクタの構成を示す斜視図。
【図６】本発明の空気注入／排出装置の実施形態にける第２コネクタにおける押し板の位置を示す断面図。
【図７】本発明の空気注入／排出装置の実施形態にけるスリーブ部の構成を示す斜視図。
【図８】本発明の空気注入／排出装置の実施形態の内部構成を示す斜視図。
【図９】本発明の空気注入／排出装置の実施形態の通常状態における断面図。
【図１０】本発明の空気注入／排出装置の実施形態の通常状態におけるスイッチと操作ノブ、連動部との関係を示す説明図。
【図１１】本発明の空気注入／排出装置の実施形態の注入モードにおける断面図。
【図１２】本発明の空気注入／排出装置の実施形態の注入モードにおけるスイッチと操作ノブ、連動部との関係を示す説明図。
【図１３】本発明の空気注入／排出装置の実施形態の排出モードにおける断面図。
【図１４】本発明の空気注入／排出装置の実施形態の排出モードにおけるスイッチと操作ノブ、連動部との関係を示す説明図。
【図１５】従来の空気注入／排出装置のエアベッドへの取付けを示す説明図。
【図１６】従来の空気注入／排出装置におけるハウシングの構成を示す正面図。
【符号の説明】
【００２３】
２１ 空気注入／排出装置
２３ バッテリー
３ 筐体
３１ パネル
３２１ 通気孔
３２３ 蓋付き開口
３３ 蓋
３４ ファンユニット
３４０ ファンケーシング
３４１ ファン
３４３ 空気入り口
３４４ 空気出口
３４７ 誘導板
３５ バッテリーケース
４０ ファンユニット部
４１ モーター
４３ スイッチ
４４ ランプ
５０ 操作機構部
５１ 操作ノブ
５２ 連動部
５２１ 連結部
５２２ 押し部
５２３ 連動部スリーブ
５２４ カム面
５３ 第１コネクタ
５３０ 押しブロック
５３１ 追従部
５３３ 連通管
５３４ 接続棒
５３５ 追従面
５４ 延伸ユニット
５４１ 連動板
５４２ 管状部
５４４ ばね止め
５５ 第２コネクタ
５５３ 押し板
５６ 操作機構用ばね
５７ シールユニット
６ 注入ポート
６０ 注入バルブ部
６１ バルブ本体
６１２ 注入バルブキャップ
６１３ 注入バルブ用ばね
６１４ バルブプレート
６１７ 注入孔
６２１ 操作棒
７ 排出ポート
７０ 排出バルブ部
７１ スリーブ部
７１１ 第１のスリーブ
７１２ 第２のスリーブ
７１４ 誘導板
７２ バルブ本体
７２２ 排出バルブキャップ
７２３ 排出バルブ用ばね
７２４ バルブプレート
７２７ 排出孔
７３ 操作棒
【図１】
0004425230.tif 000002
【図２】
0004425230.tif 000003
【図３】
0004425230.tif 000004
【図４】
0004425230.tif 000005
【図５】
0004425230.tif 000006
【図６】
0004425230.tif 000007
【図７】
0004425230.tif 000008
【図８】
0004425230.tif 000009
【図９】
0004425230.tif 000010
【図１０】
0004425230.tif 000011
【図１１】
0004425230.tif 000012
【図１２】
0004425230.tif 000013
【図１３】
0004425230.tif 000014
【図１４】
0004425230.tif 000015
【図１５】
0004425230.tif 000016
【図１６】
0004425230.tif 000017